(57)【要約】【課題】所定の場所に雪を集めることができ、落としたくない場所への雪の落下を回避できる、雪止め具の取付け構造を提供する。【解決手段】雪止め具１の取付け構造は、屋根材１０と、屋根材１０に固定され屋根材１０の棟から軒に向かう方向に移動する雪の移動を止める雪止め具１と、を備える。雪止め具１は、屋根材１０に取付けられる複数の取付け具２と、取付け具２に固定される雪止め板８と、を有する。取付け具２は、屋根材１０の軒方向に複数配設され、夫々の取付け具２は屋根材１０の軒棟方向の任意の位置に取付けられる。雪止め板８は、複数の取付け具２により軒方向から所定角度に傾けて固定可能に設けられることを特徴とする。【選択図】図１
2015175103.tif 000002
【特許請求の範囲】
【請求項１】
屋根材と、前記屋根材に固定され前記屋根材の棟から軒に向かう方向に移動する雪の移動を止める雪止め具と、を備え、
前記雪止め具は、前記屋根材に取付けられる複数の取付け具と、前記取付け具に固定される雪止め板と、を有し、
前記取付け具は、前記屋根材の軒方向に複数配設され、夫々の前記取付け具は前記屋根材の軒棟方向の任意の位置に取付けられ、
前記雪止め板は、複数の前記取付け具により軒方向から所定角度に傾けて固定可能に設けられることを特徴とする雪止め具の取付け構造。
【請求項２】
前記取付け具は、前記屋根材に固定されるベース部材と、前記雪止め板が着脱可能に挟持されるクリップ部材と、を有し、
前記クリップ部材は、軒棟方向から任意の角度に傾けて前記ベース部材に固定可能に設けられることを特徴とする請求項１に記載の雪止め具の取付け構造。
【発明の詳細な説明】
【技術分野】
【０００１】
本発明は、雪止め具の取付け構造に関する。
【背景技術】
【０００２】
従来、屋根材に取付けられる複数の取付け具と、取付け具に固定される雪止め板と、を備えた雪止め具が知られている（例えば特許文献１参照）。
【先行技術文献】
【特許文献】
【０００３】
【特許文献１】特開２００７−２１１４４４号公報
【発明の概要】
【発明が解決しようとする課題】
【０００４】
特許文献１に記載の複数の取付け具は屋根材の軒方向に複数配設され、且つ夫々の取付け具は屋根材の軒棟方向の所定の位置に取付けられる。これらの複数の取付け具に雪止め板が固定されると、雪止め板は軒方向に平行になって固定される。そして、雪止め板で止める雪の量が、雪止め板が止めることのできる雪の量の限界を超えた場合、雪は雪止め板を越えそのまま棟から軒に向かう方向に移動し、屋根材から落下していた。このとき、雪が落下した場所が、例えば玄関先であると落下した雪が堆積し玄関のドアが開かなくなったり、カーポートであるとカーポートが破損したりする虞があった。
【０００５】
本発明は上記従来の問題点に鑑みて発明したものであって、その目的とするところは、所望の場所に雪を集めることができ、落としたくない場所への雪の落下を回避できる、雪止め具の取付け構造を提供することを課題とするものである。
【課題を解決するための手段】
【０００６】
上記課題を解決するために、本発明は、以下のような構成とする。
【０００７】
屋根材と、前記屋根材に固定され前記屋根材の棟から軒に向かう方向に移動する雪の移動を止める雪止め具と、を備え、前記雪止め具は、前記屋根材に取付けられる複数の取付け具と、前記取付け具に固定される雪止め板と、を有し、前記取付け具は、前記屋根材の軒方向に複数配設され、夫々の前記取付け具は前記屋根材の軒棟方向の任意の位置に取付けられ、前記雪止め板は、複数の前記取付け具により軒方向から所定角度に傾けて固定可能であることを特徴とする。
【０００８】
また、前記取付け具は、前記屋根材に固定されるベース部材と、前記雪止め板が着脱可能に挟持されるクリップ部材と、を有し、前記クリップ部材は、軒棟方向から任意の角度に傾けて前記ベース部材に固定可能に設けられることが好ましい。
【発明の効果】
【０００９】
本発明の雪止め具の取付け構造では、雪止め板を軒方向から所定角度に傾けて固定可能なので、雪が所定の場所に集まるように雪止め板を傾斜させることができる。従って、屋根材の所定の場所に雪が集められるので、所望の場所に雪を落下させることができ、落としたくない場所への雪の落下を回避できる。
【図面の簡単な説明】
【００１０】
【図１】本実施形態の雪止め具が凹凸屋根材に配設された斜視図である。
【図２】本実施形態の雪止め具が凹凸屋根材に配設された拡大斜視図である。
【図３】（ａ）は本実施形態のベース部材の正面図であり、（ｂ）は本実施形態のベース部材の側面図である。
【図４】（ａ）は本実施形態の固定部の垂下部が可動部と当接し調節部により可動部が固定された断面図であり、（ｂ）は本実施形態の固定部のレール部が可動部に軒側挿入隙間と棟側挿入隙間に挿入された断面図である。
【図５】本実施形態のクリップ部材の側面図である。
【図６】本実施形態の雪止め板の側面図である。
【図７】本実施形態の取付け具に雪止め板が固定された側面図である。
【図８】本実施形態のクリップ部材をベース部材に対して傾けて固定し、傾斜した雪止め板が取付け具に固定された平面図である。
【発明を実施するための形態】
【００１１】
以下、本発明を添付図面に示す実施形態に基いて説明する。
【００１２】
屋根は屋根下地と、屋根材１０とを備える。本実施形態の屋根材１０には、図１に示すような凹凸屋根材９が使用される。屋根下地は凹凸屋根材９の下地となり、野地板、垂木、母屋等により構成される。
【００１３】
凹凸屋根材９は、金属製の屋根材１０であり、屋根下地の上面に固定される。凹凸屋根材９では、凹部９１と凸部９２とが軒方向に交互に形成される。凹凸屋根材９は、金属板がプレス機やロール成形機により曲げ加工されることで形成される。
【００１４】
屋根は、軒方向に複数の凹凸屋根材９が連結されて形成される。夫々の凹凸屋根材９は、キャップ部材９３により連結される。
【００１５】
凹凸屋根材９には、棟から軒に向かう方向に移動する雪の移動を止める雪止め具１が固定される。雪止め具１は金属で形成されるのが好ましい。雪止め具１は、本実施形態では、図１に示すように、凹凸屋根材９に取付けられる複数の取付け具２と、取付け具２に固定される雪止め板８と、を有する。
【００１６】
取付け具２は、図２に示すように、凹凸屋根材９に固定されるベース部材３と、雪止め板８が着脱可能に挟持されるクリップ部材７と、を有する。
【００１７】
ベース部材３は、凹凸屋根材９に着脱自在に固定される。ベース部材３は、キャップ部材９３を挟み込むことにより固定されるが、凸部９２を挟み込んで固定されてもよい。ベース部材３は、軒方向に移動可能な可動部５と、凹部９１の底壁に載置させキャップ部材９３の側壁に当接させる固定部４と、を有する。
【００１８】
図３（ａ）に示すように、可動部５の底壁はキャップ部材９３の側壁を押圧する押圧部５１となり、固定部４の底壁はキャップ部材９３の側壁に当接し押圧部５１の押圧力を受ける押圧受け部４１となる。
【００１９】
押圧部５１は可動部５の軒方向の移動に合わせて、押圧受け部４１に近付く方向（以下、第一の方向Ｄ１とする）に移動し、押圧受け部４１から離れる方向（以下、第二の方向Ｄ２とする）に移動する。可動部５が第一の方向Ｄ１に移動すると、押圧部５１と押圧受け部４１との間の可変隙間４１ａは狭くなり、押圧部５１と押圧受け部４１とでキャップ部材９３が挟持される。可動部５が第二の方向Ｄ２に移動すると、押圧部５１と押圧受け部４１との間の可変隙間４１ａは広くなり、押圧部５１と押圧受け部４１とでのキャップ部材９３の挟持が解除される。
【００２０】
押圧部５１は、第二の方向Ｄ２の可動部５の側壁の下端から第一の方向Ｄ１に突出して設けられる。押圧受け部４１は、第一の方向Ｄ１の固定部４の側壁の下端から第二の方向Ｄ２に突出して設けられる。
【００２１】
固定部４は、図３（ａ）に示すように、第一の方向Ｄ１の側壁の上端から正面視逆Ｕ字状に設けられた取付け部４２を有する。
【００２２】
取付け部４２の上壁には、クリップ部材７が取付けられる螺子部４２ａが上方に突出して設けられる。螺子部４２ａには固定ナット４２ｂが螺合され、取付け部４２の上壁と固定ナット４２ｂにより、螺子部４２ａに挿入されたクリップ部材７が固定される。
【００２３】
取付け部４２の第二の方向Ｄ２の側壁には、図３（ａ），（ｂ）に示すように、第二の方向Ｄ２に突出する突条４３が設けられる。突条４３は、平面視半球状となっているが、その形状は限定されない。突条４３は、二ヵ所に設けられているが、その数は限定されない。
【００２４】
取付け部４２の上壁の軒側の端部には、図３（ｂ）に示すように、棟から軒に向かう方向に延出される軒側当接部４４が設けられる。軒側当接部４４は、側面視略Ｌ字状となっているが、その形状は限定されない。軒側当接部４４は、キャップ部材９３の上壁と当接する。
【００２５】
取付け部４２の上壁の棟側の端部には、軒から棟に向かう方向に延出される棟側当接部４５が設けられる。棟側当接部４５は、側面視略Ｌ字状となっているが、その形状は限定されない。棟側当接部４５は、キャップ部材９３の上壁と当接する。
【００２６】
固定部４は、第二の方向Ｄ２の取付け部４２の側壁の下端部から延出される延出部４６を有する。延出部４６は、図４（ｂ）に示すように、断面Ｌ字状に設けられるが、その形状は限定されない。延出部４６は、第二の方向Ｄ２に突出するレール部４６ａと、レール部４６ａの第二の方向Ｄ２の先端から下方に垂下する垂下部４６ｂと、で形成される。
【００２７】
垂下部４６ｂには、可動部５の押圧部５１を第一の方向Ｄ１に移動させキャップ部材９３に当接させた後、押圧部５１をさらに第一の方向Ｄ１に移動させ、押圧部５１がキャップ部材９３の側壁を押圧する力を調節する調節部６が取付けられる。調節部６は、調節ボルト６１と、軒方向に移動自在に調節ボルト６１を螺進する規制ナット６２と、を有する。垂下部４６ｂには、図４（ｂ）に示すように、調節ボルト６１を挿通させる挿通孔４７が設けられる。調節ボルト６１は、挿通孔４７の縁に頭部が溶接等により調節ボルト６１が回転しないように固定される。
【００２８】
可動部５は、第一の方向Ｄ１に向かって開く開口を有する。
【００２９】
可動部５の軒側の側壁の内面には、図３，図４（ａ），（ｂ）に示すように、軒から棟に向かう方向に突出する軒側突出部５２が設けられる。軒側突出部５２は、可動部５の軒側の側壁の上端部の第一の方向Ｄ１の端部に設けられる。軒側突出部５２と可動部５の上壁との間には、レール部４６ａが挿入される軒側挿入隙間５２ａが形成される。
【００３０】
可動部５の棟側の側壁の内面には、棟から軒に向かう方向に突出する棟側突出部５３が設けられる。棟側突出部５３は、図４（ａ），（ｂ）に示すように、可動部５の棟側の側壁の上端部の第一の方向Ｄ１の端部に設けられる。棟側突出部５３と可動部５の上壁との間には、レール部４６ａが挿入される棟側挿入隙間５３ａが形成される。
【００３１】
可動部５の上壁の第一の方向Ｄ１の端部には、図２に示すように、第二の方向Ｄ２に凹む凹所５４が設けられる。凹所５４は、平面視円弧状となっているが、その形状は限定されない。凹所５４は、二ヵ所設けられているが、その数は限定されない。凹所５４は、固定部４の突条４３ｔに対応する場所に設けられる。
【００３２】
可動部５の第二の方向Ｄ２の側壁には、図４（ａ）に示すように、軒方向に貫通し調節ボルト６１を挿通させる挿通孔５５が形成される。
【００３３】
可動部５は、固定部４のレール部４６ａに沿って軒方向に移動可能である。凹所５４が突条４３と当接し、可動部５の上壁の第一の方向Ｄ１の端部が固定部４の取付け部４２の第二の方向Ｄ２の側壁に当接するまで、可動部５は第一の方向Ｄ１に移動できる。可動部５の軒側突出部５２及び棟側突出部５３の第二の方向Ｄ２の端部が固定部４の垂下部４６ｂに当接するまで、可動部５は第二の方向Ｄ２に移動できる。
【００３４】
垂下部４６ｂに固定された調節ボルト６１は、可動部５の第二の方向Ｄ２の側壁に形成された挿通孔５５に挿通され、調節ボルト６１の第二の方向Ｄ２の端から規制ナット６２が取付けられる。これにより、規制ナット６２が第一の方向Ｄ１に螺進すると、規制ナット６２が可動部５の第二の方向Ｄ２の側壁を第一の方向Ｄ１に押圧するので、可動部５が第一の方向Ｄ１に移動する。また、規制ナット６２が可動部５に当接することにより可動部５の第二の方向Ｄ２への移動が規制される。垂下部４６ｂと可動部５の第二の方向Ｄ２の側壁が当接した状態から、規制ナット６２が第二の方向Ｄ２に螺進することにより、可動部５の第二の方向Ｄ２への移動の規制は解除される。
【００３５】
なお、ベース部材３の形状や構造は上記したものに限定されず、屋根材１０に合わせて最適な形状や構造をしたものが用いられる。
【００３６】
雪止め板８を挟持するクリップ部材７は、図５に示すように、取付け部４２と当接し雪止め板８を下側から押圧する下側挟持部７１と、下側挟持部７１から突出して設けられ雪止め板８を上側から押圧する上側挟持部７２と、を有する。
【００３７】
下側挟持部７１は、固定部４の螺子部４２ａが挿入される挿入孔７１ａと、棟側の先端に設けられる返し片７１ｂと、を有する。返し片７１ｂは、下側挟持部７１の棟側の先端から棟側に行く程上方に位置するように傾斜する。
【００３８】
上側挟持部７２は、下側挟持部７１から上方に立設される立設片７２ａと、立設片７２ａに設けられる押え片７２ｂと、を有する。押え片７２ｂは、立設片７２ａの先端から所定位置まで軒から棟に向かう方向に行く程下方に位置するように傾斜し、所定位置から押え片７２ｂの先端まで軒から棟に向かう程上方に位置するように傾斜する。押え片７２ｂの所定位置は、返し片７１ｂの軒側の先端の上方に位置する。押え片７２ｂの所定位置の部分は、押え片７２ｂの最下端となる。
【００３９】
クリップ部材７は、下側挟持部７１の返し片７１ｂの軒側の先端と上側挟持部７２の押え片７２ｂの最下端とで雪止め板８を挟み込むことにより、雪止め板８を挟持する。このように、雪止め板８は挟持されているだけなので、容易に取外すことができる。
【００４０】
クリップ部材７の挿入孔７１ａにベース部材３の螺子部４２ａが挿入されると、クリップ部材７は螺子部４２ａを中心にして回転させることができる。これにより、クリップ部材７は軒棟方向から任意の角度に傾けてベース部材３に固定可能となる。螺子部４２ａに挿入されたクリップ部材７は、螺子部４２ａの上端から螺合させた固定ナット４２ｂとベース部材３の取付け部４２とで挟持されることにより、ベース部材３に固定される。
【００４１】
上記した構成の取付け具２は、本実施形態では、図１に示すように、軒方向に複数配設される凹凸屋根材９を連結する複数のキャップ部材９３に配設される。夫々の取付け具２は、本実施形態では、キャップ部材９３の軒棟方向の任意の位置に取付けられる。
【００４２】
雪止め板８は、図６に示すように、断面略Ｔ字状に形成される。なお、雪止め板８は、断面略Ｌ字状のアングルでもよく、雪止め板８の形状は限定されない。雪止め板８は、クリップ部材７の下側挟持部７１と上側挟持部７２との間に挿入される挿入片８１と、挿入片８１の棟側の端部から上方に突出される堰止片８２と、挿入片８１の棟側の端部から軒から棟に向かう方向に突出する補強片８３と、で形成される。
【００４３】
挿入片８１の軒側の先端部には、下方に向けて突出する引掛り部８１ａが設けられる。引掛り部８１ａは、図７に示すように、挿入片８１がクリップ部材７に挿入された後、雪止め板８が軒から棟に向かう方向に引かれた際に、下端側挟持部の返し片７１ｂに引掛る。そのため、挿入片８１がクリップ部材７から抜け難くなるので、雪止め板８がクリップ部材７から外れてしまうことを防止することができる。
【００４４】
堰止片８２は、棟から軒に向かって移動する雪を堰止めるために設けられる。
【００４５】
補強片８３は、雪止め板８の強度を向上させるために設けられる。
【００４６】
なお、補強片８３を設けることにより次のような効果もある。
【００４７】
凹凸屋根材９に積もった雪の重量は、雪の重量の内の棟から軒に向かう方向の第一の分力と、凹凸屋根材９に垂直な方向の内の下方向の第二の分力に分解される。堰止片８２は、この内の第一の分力で雪に押圧される。堰止片８２が過大な第一の分力で雪に押圧されたとき、堰止片８２が棟から軒に向かう方向で斜め下方に曲がってしまうと共に、挿入片８１が棟から軒に向かう方向で斜め上方に曲がってしまう場合がある。これにより、挿入片８１が折れてしまう虞があった。このとき、補強片８３が設けられていると、補強片８３は第二の分力で雪に押圧されることになり、挿入片８１が棟から軒に向かう方向で斜め上方に曲がってしまうことを抑えることができる。従って、補強片８３を設けることにより、挿入片８１が折れてしまうことを防止することができる。
【００４８】
上記した雪止め具１の凹凸屋根材９への取付け方法について示す。
【００４９】
作業者は、可動部５を第二の方向Ｄ２に動かし、可変隙間４１ａをキャップ部材９３の軒方向の長さより広く開く。作業者は、固定部４の軒側当接部４４と棟側当接部４５とキャップ部材９３の上壁とが当接するまで、可変隙間４１ａにキャップ部材９３を挿入する。作業者は、固定部４の押圧受け部４１とキャップ部材９３の第一の方向Ｄ１の側壁とを当接させ、可動部５を第一の方向Ｄ１に移動させ押圧部５１とキャップ部材９３の第二の方向Ｄ２の側壁とを当接させる。作業者は、規制ナット６２を第一の方向Ｄ１に螺進させて可動部５の第二の方向Ｄ２の側壁に当接させる。そして、作業者がさらに規制ナット６２を第一の方向Ｄ１に螺進させることにより、押圧部５１と押圧受け部４１とでキャップ部材９３が挟持される。作業者は、螺子部４２ａにクリップ部材７の挿入孔７１ａを挿入させ、取付け部４２にクリップ部材７を当接させる。作業者は、クリップ部材７を任意の角度で保持し、螺子部４２ａの上端から固定ナット４２ｂを螺進させ、クリップ部材７を固定ナット４２ｂと取付け部４２とで挟持し固定する。作業者は、軒方向に複数配設される夫々のベース部材３に対して以上の作業を行って凹凸屋根材９に固定する。作業者は、全てのベース部材３を固定した後、クリップ部材７に雪止め板８を挿入し挟持させる。
【００５０】
複数の取付け具２は、本実施形態では、図１に示すように、凹凸屋根材９の軒方向の一方の端部から雪を集めたい所定位置まで、凹凸屋根材９の軒方向の一方から他方に行く程軒側に位置するように配設される。そして、凹凸屋根材９の所定位置から他方の端部までに配設される複数の取付け具２は、本実施形態では、所定位置の取付け具２の軒棟方向の位置に合わせて、軒方向に平行に配設される。なお、凹凸屋根材９の所定位置から他方の端部までに配設される複数の取付け具２は、凹凸屋根材９の所定位置から他方の端部に行く程棟側に位置するように配設されてもよい。
【００５１】
上記したように配設された取付け具２のクリップ部材７に雪止め板８が取付けられる。クリップ部材７は任意の角度でベース部材３に固定可能なので、所定角度に合わせることができる。これにより、図８に示すように、雪止め板８が軒方向と平行に固定される場合のクリップ部材７の掴み代と同程度の掴み代で、クリップ部材７が雪止め板８を挟持することができる。
【００５２】
上記した構成の雪止め具１を屋根材１０に取付けると、雪止め板８を軒方向から所定角度に傾けて固定可能なので、雪を所定の場所に集まるように雪止め板８を傾斜させることができる。このように、雪止め具１では屋根材１０の所定の場所に雪を集めることができ、落としたくない場所への雪の落下を回避できる。
【００５３】
以下に本実施形態の雪止め具１の取付け構造の構成について記載する。
【００５４】
雪止め具１の取付け構造は、屋根材１０と、屋根材１０に固定され屋根材１０の棟から軒に向かう方向に移動する雪の移動を止める雪止め具１と、を備える。雪止め具１は、屋根材１０に取付けられる複数の取付け具２と、取付け具２に固定される雪止め板８と、を有する。取付け具２は、屋根材１０の軒方向に複数配設され、夫々の取付け具２は屋根材１０の軒棟方向の任意の位置に取付けられる。雪止め板８は、複数の取付け具２により軒方向から所定角度に傾けて固定可能であることを特徴とする。
【００５５】
これにより、雪止め板８を軒方向から所定角度に傾けて固定可能なので、雪を所定の場所に集まるように雪止め板８を傾斜させることができる。このように、雪止め具１では、屋根材１０の所定の場所から雪が落下するようにでき、落としたくない場所への雪の落下を回避できる、。
【００５６】
また、取付け具２は、屋根材１０に固定されるベース部材３と、雪止め板８が着脱可能に挟持されるクリップ部材７と、を有する。クリップ部材７は、軒棟方向から任意の角度に傾けてベース部材３に固定可能に設けられることが好ましい。
【００５７】
これにより、雪止め板８はクリップ部材７に挟持されて固定されるので、容易に取外しを行うことができる。また、雪止め板８が軒方向と平行に固定される場合のクリップ部材７の掴み代と同程度の掴み代で、クリップ部材７が雪止め板８を挟持することができる。
【符号の説明】
【００５８】
１    雪止め具
２    取付け具
３    ベース部材
４    固定部
５    可動部
６    調節部
７    クリップ部材
８    雪止め板
９    凹凸屋根材
【図１】
2015175103.tif 000003
【図２】
2015175103.tif 000004
【図３】
2015175103.tif 000005
【図４】
2015175103.tif 000006
【図５】
2015175103.tif 000007
【図６】
2015175103.tif 000008
【図７】
2015175103.tif 000009
【図８】
2015175103.tif 000010